【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
１以上のコンピュータ装置によって実行される方法であって、
カメラからビデオストリームを受信することと、
前記ビデオストリームをディスプレイ上に表示することと、
アイトラッキングセンサを介して、前記ディスプレイを見ているユーザの注視エリアを特定する情報を取得することと、
前記注視エリアから前記ディスプレイの縁部に向かって勾配を生成することと、
前記生成された勾配に基づいて前記注視エリアの外側の前記ビデオストリームのビットレートを減少させるようにカメラに命令することと、を含む方法。
【請求項２】
前記取得された情報に基づいて予測される注視軌跡を計算することと、
前記予測された注視軌跡に沿って前記ビデオストリームのビットレートを増加させることと、をさらに含む請求項１に記載の方法。
【請求項３】
前記注視エリアが前記ディスプレイの外側にあると判定することと、
前記注視エリアが前記ディスプレイの外側にあると判定したことに応答して、前記ビデオストリーム全体のビットレートを減少させることと、をさらに含む請求項１に記載の方法。
【請求項４】
前記注視エリアの外側の前記ビデオストリーム内の移動物体を検出することと、
前記注視エリアを前記移動物体に相関させることと、をさらに含む請求項２に記載の方法。
【請求項５】
前記注視エリアから前記ディスプレイの縁部まで前記勾配を生成することは、
前記注視エリアの縁部から、前記注視エリアの縁部からの特定の距離までの第１の領域に対する第１のビットレート低減係数を定義することと、
前記特定の距離から前記ディスプレイの縁部までの第２の領域に対する第２のビットレート低減係数を定義することと、を含み、
前記第１のビットレート低減係数は、前記第１の領域に対するビットレートが低減される程度を示し、
前記第２のビットレート低減係数は、前記第２の領域に対するビットレートが低減される程度を示し、
前記第２のビットレート低減係数は、前記第１のビットレート低減係数よりも高い、請求項１に記載の方法。
【請求項６】
前記注視エリアから前記ディスプレイの縁部まで前記勾配を生成することは、
前記注視エリアの縁部から前記ディスプレイの前記縁部に向かって線形に減少するビットレート低減係数を定義することを含み、
前記ディスプレイの特定の位置における前記ビットレート低減係数は、前記特定の位置におけるビットレートが低減される程度を示す請求項１に記載の方法。
【請求項７】
前記生成された勾配に基づいて前記注視エリアの外側の前記ビデオストリームのビットレートを減少させるように前記カメラに命令することは、
前記注視エリアの外側の前記ビデオストリームのエリアに関連付けられたセンサ用のサンプリングレートを低減させるように前記カメラに命令することを含む請求項１に記載の方法。
【請求項８】
前記生成された勾配に基づいて前記注視エリアの外側の前記ビデオストリームのビットレートを減少させるように前記カメラに命令することは、
前記ビデオストリームを符号化する前に、前記注視エリアの外側の前記ビデオストリームのエリアの解像度を低下させるように前記カメラに命令することを含む請求項１に記載の方法。
【請求項９】
前記生成された勾配に基づいて前記注視エリアの外側の前記ビデオストリームのビットレートを減少させるように前記カメラに命令することは、
前記ビデオストリームを符号化する前に、前記注視エリアの外側の前記ビデオストリームのエリアに対してノイズ低減プロセスを増加させるように前記カメラに命令することを含む請求項１に記載の方法。
【請求項１０】
前記生成された勾配に基づいて前記注視エリアの外側の前記ビデオストリームのビットレートを減少させるように前記カメラに命令することは、
前記注視エリアの外側の前記ビデオストリームのエリアに関連付けられた符号化処理ユニットに対して圧縮パラメータ値を増加させるように前記カメラに命令することを含む請求項１に記載の方法。
【請求項１１】
前記ビデオストリームは複数のビデオストリームを含み、前記ディスプレイは複数のディスプレイを含む請求項１に記載の方法。
【請求項１２】
命令を格納するメモリと、
前記命令を実行して、
カメラからビデオストリームを受信し、
前記ビデオストリームをディスプレイ上に表示し、
アイトラッキングセンサを介して、前記ディスプレイを見ているユーザの注視エリアを特定する情報を取得し、
前記注視エリアから前記ディスプレイの縁部に向かって勾配を生成し、
前記生成された勾配に基づいて前記注視エリアの外側の前記ビデオストリームのビットレートを減少させるように前記カメラに命令するように構成されるプロセッサとを含むコンピュータ装置。
【請求項１３】
前記プロセッサは、
取得された注視情報に基づいて予測された注視軌跡を計算し、
前記予測された注視軌跡に沿って前記ビデオストリームのビットレートを増加させるように前記命令を実行するように、さらに構成される請求項１２に記載のコンピュータ装置。
【請求項１４】
前記注視エリアから前記ディスプレイの縁部まで前記勾配を生成するとき、前記プロセッサは、
前記注視エリアの縁部から、前記注視エリアの縁部からの特定の距離までの第１の領域に対して第１のビットレート低減係数を定義し、前記第１のビットレート低減係数は、前記第１の領域に対するビットレートが低減する程度を示し、
前記特定の距離から前記ディスプレイの縁部に向かう第２の領域に対して第２のビットレート低減係数を定義し、前記第２のビットレート低減係数は、前記第２の領域のビットレートが低減される程度を示し、前記第２のビットレート低減係数は、前記第１のビットレート低減係数よりも高くなるように、さらに構成される請求項１２に記載のコンピュータ装置。
【請求項１５】
前記注視エリアから前記ディスプレイの縁部まで前記勾配を生成するとき、前記プロセッサは、
前記注視エリアの縁部から前記ディスプレイの前記縁部に向かって線形に減少するビットレート低減係数を定義し、前記ディスプレイの特定の位置における前記ビットレート低減係数は、前記特定の位置におけるビットレートが低減される程度を示すように、さらに構成される請求項１２に記載のコンピュータ装置。
【請求項１６】
前記生成された勾配に基づいて前記注視エリアの外側の前記ビデオストリームのビットレートを減少させるように前記カメラに命令するとき、前記プロセッサは、
前記注視エリアの外側の前記ビデオストリームのエリアに関連付けられたセンサ用のサンプリングレートを低減させるように前記カメラに命令するように、さらに構成される請求項１２に記載のコンピュータ装置。
【請求項１７】
前記生成された勾配に基づいて前記注視エリアの外側の前記ビデオストリームのビットレートを減少させるように前記カメラに命令するとき、前記プロセッサは、
前記ビデオストリームを符号化する前に、前記注視エリアの外側の前記ビデオストリームのエリアに対して解像度を低下させるように前記カメラに命令するように、さらに構成される請求項１２に記載のコンピュータ装置。
【請求項１８】
前記生成された勾配に基づいて前記注視エリアの外側の前記ビデオストリームのビットレートを減少させるように前記カメラに命令するとき、前記プロセッサは、
前記ビデオストリームを符号化する前に前記注視エリアの外側の前記ビデオストリームのエリアに対してノイズ低減プロセスを増加させるように前記カメラに命令するように、さらに構成される請求項１２に記載のコンピュータ装置。
【請求項１９】
前記生成された勾配に基づいて前記注視エリアの外側の前記ビデオストリームのビットレートを減少させるように前記カメラに命令するとき、前記プロセッサは、
前記注視エリアの外側の前記ビデオストリームのエリアに関連付けられた符号化処理ユニットの圧縮パラメータ値を増加させるように前記カメラに命令するように、さらに構成される請求項１２に記載のコンピュータ装置。
【請求項２０】
ビデオストリームを生成するように構成されたカメラと、
前記カメラから前記ビデオストリームを受信し、
前記ビデオストリームをディスプレイ上に表示し、
アイトラッキングセンサを介して、前記ディスプレイを見ているユーザの注視エリアを特定する情報を取得し、
前記注視エリアから前記ディスプレイの縁部まで勾配を生成し、
生成された前記勾配に基づいて前記注視エリアの外側の前記ビデオストリームのビットレートを減少させるように前記カメラに命令を送信するように構成されたコンピュータ装置とを含み、
前記カメラは、受信された前記命令に基づいて前記注視エリアの外側の前記ビデオストリームのビットレートを減少させるように、さらに構成されているシステム。